【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
複数のパケットを受信するように構成された受信機と、ここで、前記複数のパケットは、パケットのシーケンスの少なくともサブセットに対応する、
前記複数のパケットを記憶するように構成されたバッファと、
アナライザであって、
前記パケットのシーケンスのうちの特定のパケットが前記バッファから消失しているかどうか決定することと、
前記特定のパケットの部分コピーが別のパケット中のエラー訂正データとして前記バッファに記憶されているかどうか決定することと、
前記バッファが前記特定のパケットを記憶していない、前記バッファが前記特定のパケットの前記部分コピーを記憶していない、および再送信カウントが再送信閾値を満足するという決定に少なくとも部分的に基づいて、第２のデバイスへの再送メッセージの送信を開始することと、
前記第２のデバイスへの前記再送メッセージの送信に続いて、前記再送信カウントを更新することと、
を行うように構成されたアナライザと、
復号されたパケットを生成するために前記特定のパケットの再送信されたバージョンを復号するように構成された音声デコーダと、ここで、前記特定のパケットの前記再送信されたバージョンは、前記再送メッセージの送信に応答して受信される、
前記復号されたパケットに基づいてオーディオを出力するように構成された１つまたは複数のスピーカーと、
を備えるデバイス。
【請求項２】
前記再送メッセージは前記特定のパケットの再送信を要求する、請求項１に記載のデバイス。
【請求項３】
前記第２のデバイスに前記再送メッセージを送信するように構成された送信機をさらに備え、ここにおいて、前記受信機および前記送信機はトランシーバに含まれる、請求項１に記載のデバイス。
【請求項４】
前記アナライザは、前記特定のパケットが前記バッファから消失しているかどうか、および前記特定のパケットの前記部分コピーが前記バッファに記憶されているかどうか、を決定したことに基づいて、前記再送信閾値を更新するようにさらに構成される、請求項１に記載のデバイス。
【請求項５】
前記アナライザは、
前記特定のパケットが前記バッファから消失している、および前記特定のパケットの前記部分コピーが前記バッファに記憶されている、と決定したことに応答して、取り出された部分コピーのカウントを更新することと、
取り出された部分コピーの前記カウントに少なくとも部分的に基づいて、前記再送信閾値を更新することと、
を行うようにさらに構成される、請求項１に記載のデバイス。
【請求項６】
前記アナライザは、前記バッファが前記特定のパケットを記憶しておらずかつ前記特定のパケットの前記部分コピーを記憶していない、と決定したことに応答して、喪失パケットのカウントを更新するようにさらに構成され、前記再送信閾値は、喪失パケットの前記カウントに少なくとも部分的に基づいて更新される、請求項５に記載のデバイス。
【請求項７】
前記アナライザは、取り出された部分コピーの前記カウントおよび喪失パケットの前記カウントに基づいて結果値を決定するようにさらに構成され、前記再送信閾値は、前記結果値が増分閾値を満足すると決定したことに応答して、増分量だけ増大される、請求項６に記載のデバイス。
【請求項８】
前記アナライザは、取り出された部分コピーの前記カウントおよび喪失パケットの前記カウントに基づいて結果値を決定するようにさらに構成され、前記再送信閾値は、前記結果値が減分閾値を満足すると決定したことに応答して、減分量だけ減少される、請求項６に記載のデバイス。
【請求項９】
前記アナライザは、
取り出された部分コピーの前記カウントを品質メトリックで乗算することによって、加重値を生成することと、
喪失パケットの前記カウントと前記加重値の和に基づいて結果値を決定することと、
を行うようにさらに構成され、
前記再送信閾値は、前記結果値が閾値を満足するかどうか決定したことに基づいて更新される、請求項６に記載のデバイス。
【請求項１０】
通信の方法であって、
デバイスにおいて複数のパケットを受信することと、ここで、前記複数のパケットは、パケットのシーケンスの少なくともサブセットに対応する、
前記デバイスにおいて、前記パケットのシーケンスのうちの特定のパケットがバッファから消失しているかどうか決定することと、
前記デバイスにおいて、前記特定のパケットの部分コピーが別のパケット中のエラー訂正データとして前記バッファに記憶されているかどうか決定することと、
前記バッファが前記特定のパケットを記憶していない、前記バッファが前記特定のパケットの前記部分コピーを記憶していない、および再送信カウントが再送信閾値を満足すると決定したことに少なくとも部分的に基づいて、前記デバイスから第２のデバイスに再送メッセージを送ることと、
前記第２のデバイスに前記再送メッセージを送ったのに続いて、前記再送信カウントを更新することと、
復号されたパケットを生成するために前記特定のパケットの再送信されたバージョンを復号することと、ここで、前記特定のパケットの前記再送信されたバージョンは、前記再送メッセージの送信に応答して受信される、
前記復号されたパケットに基づいてオーディオを出力することと、
を備える方法。
【請求項１１】
前記デバイスにおいて、前記特定のパケットが前記バッファから消失しているかどうか、および前記特定のパケットの前記部分コピーが前記バッファに記憶されているかどうか、を決定したことに基づいて、前記再送信閾値を更新すること
をさらに備える、請求項１０に記載の方法。
【請求項１２】
前記特定のパケットが前記バッファから消失している、および前記特定のパケットの前記部分コピーが前記バッファに記憶されている、と決定したことに応答して、前記デバイスにおいて、取り出された部分コピーのカウントを更新することと、
前記バッファが前記特定のパケットを記憶しておらずかつ前記特定のパケットの前記部分コピーを記憶していない、と決定したことに応答して、前記デバイスにおいて、喪失パケットのカウントを更新することと、
取り出された部分コピーの前記カウントおよび喪失パケットの前記カウントに基づいて、前記再送信閾値を更新することと、
をさらに備える、請求項１０に記載の方法。
【請求項１３】
取り出された部分コピーの前記カウントを品質メトリックで乗算することによって、加重値を決定することと、
喪失パケットの前記カウントと前記加重値の和に基づいて結果値を決定することと、
をさらに備え、
前記再送信閾値は、前記結果値が増分閾値を満足すると決定したことに応答して、増分量だけ増大される、請求項１２に記載の方法。
【請求項１４】
前記結果値と前記増分閾値との間の差に基づいて前記増分量を決定することをさらに備える、請求項１３に記載の方法。
【請求項１５】
取り出された部分コピーの前記カウントを品質メトリックで乗算することによって、加重値を決定することと、
喪失パケットの前記カウントと前記加重値の和に基づいて結果値を決定することと、
をさらに備え、
前記再送信閾値は、前記結果値が減分閾値を満足すると決定したことに応答して、減分量だけ減少される、請求項１２に記載の方法。
【請求項１６】
前記結果値と前記減分閾値との間の差に基づいて前記減分量を決定することをさらに備える、請求項１５に記載の方法。
【請求項１７】
命令を記憶するコンピュータ可読記憶デバイスであって、前記命令は、プロセッサによって実行されると、前記プロセッサに、
複数のパケットを受信することと、ここで、前記複数のパケットは、パケットのシーケンスの少なくともサブセットに対応する、
前記パケットのシーケンスのうちの特定のパケットがバッファから消失しているかどうか決定することと、
前記特定のパケットの部分コピーが別のパケット中のエラー訂正データとして前記バッファに記憶されているかどうか決定することと、
前記バッファが前記特定のパケットを記憶していない、前記バッファが前記特定のパケットの前記部分コピーを記憶していない、および再送信カウントが再送信閾値を満足すると決定したことに少なくとも部分的に基づいて、デバイスへの再送メッセージの送信を開始することと、
前記デバイスへの前記再送メッセージの送信に続いて、前記再送信カウントを更新することと、
復号されたパケットを生成するために前記特定のパケットの再送信されたバージョンを復号することと、ここで、前記特定のパケットの前記再送信されたバージョンは、前記再送メッセージの送信に応答して受信される、
前記復号されたパケットに基づいてオーディオを出力することと、
を備える動作を実施させる、コンピュータ可読記憶デバイス。
【請求項１８】
前記動作は、前記バッファが前記特定のパケットを記憶している、前記バッファが前記特定のパケットの前記部分コピーを記憶している、再送信カウントが再送信閾値を満足できない、またはそれらの組合せである、と決定したことに応答して、前記デバイスに前記再送メッセージを送るのを控えることをさらに備える、請求項１７に記載のコンピュータ可読記憶デバイス。
【請求項１９】
前記動作は、前記特定のパケットが前記バッファから消失しているかどうか、および前記特定のパケットの前記部分コピーが前記バッファに記憶されているかどうか、を決定したことに基づいて、前記再送信閾値を更新することをさらに備え、前記特定のパケットは音声データを含む、請求項１７に記載のコンピュータ可読記憶デバイス。
【請求項２０】
前記動作は、
前記特定のパケットが前記バッファから消失している、および前記特定のパケットの前記部分コピーが前記バッファに記憶されている、と決定したことに応答して、取り出された部分コピーのカウントを更新することと、
前記バッファが前記特定のパケットを記憶しておらずかつ前記特定のパケットの前記部分コピーを記憶していない、と決定したことに応答して、喪失パケットのカウントを更新することと、
取り出された部分コピーの前記カウントおよび喪失パケットの前記カウントに基づいて、前記再送信閾値を更新することと、
をさらに備える、請求項１７に記載のコンピュータ可読記憶デバイス。
【請求項２１】
前記動作は、
取り出された部分コピーの前記カウントを品質メトリックで乗算することによって、加重値を決定することと、
喪失パケットの前記カウントと前記加重値の和に基づいて結果値を決定することと、ここにおいて、前記再送信閾値は前記結果値に基づいて更新される、
をさらに備える、請求項２０に記載のコンピュータ可読記憶デバイス。
【請求項２２】
前記動作は、
前記特定のパケットが前記バッファから消失しているかどうか、および前記特定のパケットの前記部分コピーが前記バッファに記憶されているかどうかに基づいて結果値を決定することと、
前記結果値が増分閾値を満足すると決定したことに応答して、
前記結果値と前記増分閾値との間の差に基づいて増分量を決定することと、
前記増分量に基づいて前記再送信閾値を増大させることと、
をさらに備える、請求項１７に記載のコンピュータ可読記憶デバイス。
【請求項２３】
前記動作は、
前記特定のパケットが前記バッファから消失しているかどうか、および前記特定のパケットの前記部分コピーが前記バッファに記憶されているかどうかに基づいて結果値を決定することと、
前記結果値が減分閾値を満足すると決定したことに応答して、減分量に基づいて前記再送信閾値を減少させることと、
をさらに備える、請求項１７に記載のコンピュータ可読記憶デバイス。
【請求項２４】
前記動作は、前記結果値と前記減分閾値との間の差に基づいて前記減分量を決定することをさらに備える、請求項２３に記載のコンピュータ可読記憶デバイス。
【請求項２５】
前記複数のパケットは、エラー訂正データを含み、ここにおいて、前記複数のパケットの第１のパケットの前記エラー訂正データは、前記複数のパケットの第２のパケットの部分コピーを含み、前記第２のパケットは前記パケットのシーケンス中で前記第１のパケットよりも前である、請求項１７に記載のコンピュータ可読記憶デバイス。
【請求項２６】
複数のパケットを受信するための手段と、ここで、前記複数のパケットは、パケットのシーケンスの少なくともサブセットに対応する、
エラー回復のための手段と、エラー回復のための前記手段は、
前記パケットのシーケンスのうちの特定のパケットがバッファから消失しているかどうか決定することと、
前記特定のパケットの部分コピーが別のパケット中のエラー訂正データとして前記バッファに記憶されているかどうか決定することと、
を行うように構成され、
前記バッファが前記特定のパケットを記憶していない、前記バッファが前記特定のパケットの前記部分コピーを記憶していない、および再送信カウントが再送信閾値を満足すると決定したことに少なくとも部分的に基づいて、第２のデバイスに再送メッセージを送るための手段と、
前記第２のデバイスに前記再送メッセージを送ったのに続いて、前記再送信カウントを更新するための手段と、
復号されたパケットを生成するために前記特定のパケットの再送信されたバージョンを復号するための手段と、ここで、前記特定のパケットの前記再送信されたバージョンは、前記再送メッセージの送信に応答して受信される、
前記復号されたパケットに基づいてオーディオを出力するための手段と、
を備える、装置。
【請求項２７】
受信するための前記手段、エラー回復のための前記手段、送るための前記手段、復号するための前記手段、および出力するための前記手段は、デコーダ、セットトップボックス、音楽プレーヤ、ビデオプレーヤ、娯楽ユニット、ナビゲーションデバイス、通信デバイス、携帯情報端末（ＰＤＡ）、またはコンピュータの中に一体化される、請求項２６に記載の装置。